(57)【特許請求の範囲】
【請求項１】
放送番組を複数の記録装置に記録するよう制御する記録制御モジュールを備え、
前記記録制御モジュールは、１つの記録チャンネル設定画面内で、地上デジタル放送／衛星デジタル放送／ケーブルテレビ放送のいずれか１つの放送によって送られる複数のチャンネルの中から選択された、１個または複数の時間帯に亘ってループ記録する複数のチャンネルを、前記複数の記録装置に分けて個別に設定する記録再生装置。
【請求項２】
前記記録制御モジュールは、前記複数の記録装置毎に１個または複数の時間帯に亘ってループ記録する時間帯を個別に設定する請求項１に記載された記録再生装置。
【請求項３】
前記記録制御モジュールは、前記複数の記録装置の内で異なる記録装置に同じチャンネルで重複する時間帯を含む異なる時間帯が指定された場合、後から指定した前記記録装置に対して重複する時間帯を除いて前記時間帯を設定する請求項２に記載された記録再生装置。
【請求項４】
前記記録制御モジュールは、前記複数の記録装置の内で異なる記録装置に同じチャンネル且つ同じ時間帯が指定されたとき、前記ループ記録の記録容量を同じチャンネルが設定された前記記録装置毎に割り当てられた記録容量の総和とする請求項２に記載された記録再生装置。
【請求項５】
前記記録制御モジュールは、新規に追加された内蔵または外付けの記録装置に既存の記録装置と同じチャンネル且つ同じ時間帯が指定されたとき、前記ループ記録の記録容量を同じチャンネルが設定された既存の前記記録装置に割り当てられた記録容量と新規に追加された前記記録装置に割り当てられた前記記録容量の総和とする請求項２に記載された記録再生装置。
【請求項６】
１個または複数のチャンネルについて１個または複数の時間帯に亘って放送番組をループ記録する複数の記録装置を備えた記録再生装置の記録再生方法であって、
１つの記録チャンネル設定画面内で、地上デジタル放送／衛星デジタル放送／ケーブルテレビ放送のいずれか１つの放送によって送られる複数のチャンネルの中から選択された、１個または複数の時間帯に亘ってループ記録する複数のチャンネルを、前記複数の記録装置に分けて個別に設定するステップと、
前記複数の記録装置毎に１個または複数の時間帯に亘ってループ記録する時間帯を個別に設定するステップと、
を有する記録再生方法。
【発明の詳細な説明】
【技術分野】
【０００１】
本発明の実施形態は、録画再生装置及び録画再生方法に関する。
【背景技術】
【０００２】
近年、地上デジタル放送、ＢＳ／ＣＳデジタル放送が本格的に運用され、多くの番組が高画質、高音質で視聴できる環境が整ってきた。デジタル放送は、電子番組表（ＥＰＧ（Electronic Program Guide））の仕組みが備えられており、約１週間先までの番組表が表示でき、放送時間や出演者など、番組内容の表示や知りたい情報の検索、番組の視聴予約や録画予約を行うことができる。
【０００３】
デジタル放送のチャンネル数の増加に伴い、利用者が視聴したい番組の放送時間が増大し、また放送時間が重複したりすることが起きるため、番組を録画して利用者の都合に合わせた時間に視聴する機会が増えてきた。複数のチューナと比較的大きな記憶容量を有する記録装置を用いて、複数のチャネルの番組を同時に録画できる記録再生装置や、利用者が直接番組を指定して録画するだけではなく、利用者が指定したキーワードや嗜好に合致した番組を自動的に録画する機能を備えた録画再生装置が登場している。
【先行技術文献】
【特許文献】
【０００４】
【特許文献１】特開２０１１−６６８５７号公報
【発明の概要】
【発明が解決しようとする課題】
【０００５】
従来、複数のチューナと比較的大きな記憶容量を有する記録装置を用いて、複数のチャネルの番組を同時に、複数の時間帯に亘って記録できる記録再生装置においては、チャンネル毎に記録する時間帯を設定することができなかった。また、チャンネル毎に記録する時間帯を設定するようにすると操作が複雑になり、利用者が平易な操作で設定できるようにすることが難しかった。
【０００６】
本発明の目的は、上記したような事情に鑑み成されたものであって、複数のチャンネルに就いて複数の時間帯に亘って放送番組を記録する際、記録装置毎や記録するチャンネル毎に記録時間帯の設定を可能とする記録再生装置及び記録再生方法を提供することである。
【課題を解決するための手段】
【０００７】
上記目的を達成するために、実施形態の記録再生装置は、放送番組を複数の記録装置に記録するよう制御する記録制御モジュールを備えている。さらに、この記録制御モジュールは、１つの記録チャンネル設定画面内で、地上デジタル放送／衛星デジタル放送／ケーブルテレビ放送のいずれか１つの放送によって送られる複数のチャンネルの中から選択された、１個または複数の時間帯に亘ってループ記録する複数のチャンネルを、前記複数の記録装置に分けて個別に設定する。
【図面の簡単な説明】
【０００８】
【図１】第１の実施形態に係る記録再生装置の外観斜視図。
【図２】第１の実施形態に係る記録再生装置の構成を示したブロック図。
【図３】第１の実施形態に係わるリモコンの外観図。
【図４】第１の実施形態に係わる記録制御モジュールの構成を示したブロック図。
【図５】複数の内蔵記録装置と複数の外付け記録装置の記録領域とチャンネルの設定の例を示した図。
【図６】チャンネル設定表の例を示した図。
【図７】記録時間設定における記録装置選択表の例を示した図。
【図８】記録時間設定表の例を示した図。
【図９】重複する時間帯を含む異なる時間帯が指定された状態の例を示した図。
【図１０】時間帯が設定された状態を示した図。
【図１１】記録再生装置に外付け記録装置が３台接続された状態を示した図。
【図１２】画面に機能設定表が表示された状態を示した図。
【図１３】画面にタイムシフト記録設定表が表示された状態を示した図。
【図１４】画面に記録チャンネル設定表が表示された状態を示した図。
【図１５】画面に記録時間設定表が表示された状態を示した図。
【図１６】画面７に記録時間設定表の他の例が表示された状態を示した図。
【図１７】タイムシフト記録におけるチャンネル設定および時間設定処理の動作手順を示したフローチャート。
【図１８】第２の実施形態に係る複数の内蔵記録装置と複数の外付け記録装置の記録領域とチャンネルの設定の例を示した図。
【図１９】第２の実施形態に係る記録時間設定における記録装置選択表を示した図。
【発明を実施するための形態】
【０００９】
（第１の実施形態）
以下第１の実施形態について図面を参照しながら説明する。図１は、第１の実施形態に係る記録再生装置１の概観斜視図である。記録再生装置１は、デジタル放送を受信し、受信した放送番組の映像データ及び音声データの記録および再生が可能であって、画面に放送番組の映像を表示するデジタルテレビ、ＰＣ（Personal Computer）や携帯端末等の映像記録再生装置である。あるいは、デジタル放送を受信し、受信した放送番組の映像データ及び音声データの記録および再生が可能なＤＶＤ（Digital Versatile Disc）レコーダやBlu-ray（登録商標）レコーダ等であってもよい。
【００１０】
記録再生装置１の実施形態として、デジタルテレビを一例として説明する。記録再生装置１は、本体２と、本体２を支持するスタンド３を備えている。本体２は前面側に液晶パネルやＰＤＰ（Plasma Display Panel）パネル等の表示パネル４が配置され、表示パネル４の背面側に表示パネル４を支持する図示しないフレームが配置されている。フレームには表示パネル４を駆動するための図示しない回路基板や電源回路が設置されている。
【００１１】
本体２は、本体２の前面側と上面、底面、両側側面の一部を覆う前面カバー５と、本体２の背面側と上面、底面、両側側面の一部を覆う背面カバー６とによって外面が囲まれている。画面７は、表示パネル４の前面カバー５の窓部５ａの内側の表示部分である。
【００１２】
リモコン８は赤外線あるいはBluetooth（登録商標）等による無線通信を利用して、記録再生装置１の操作受信モジュールへ操作信号を送る操作機器である。
【００１３】
記録再生装置１は、外部インターフェース２９を介して外付け記録装置３０に放送番組を記録（録画）することができる。図１においては、例として、３台の外付け記録装置Ｅ１、Ｅ２、Ｅ３が接続された状態を示す。本体２の背面に専用の外付け端子（図示せず）が配置されている。
【００１４】
図２は、第１の実施形態に係る記録再生装置１の構成を示したブロック図である。アンテナ１０は、放送局１１から送信された放送電波を受信するための地上デジタル放送あるいは衛星デジタル放送用のアンテナである。チューナ１２は、地上デジタル放送、衛星デジタル放送あるいはケーブルテレビ放送の放送信号の中から所望のチャンネルの放送信号を選局する。チューナ１２は、複数のチューナユニットから構成されており、同時に複数の放送を受信することができる。アンテナ端子１２ａはアンテナ１０が接続される端子である。
【００１５】
復調器１３は、各々のデジタル放送の変調方式に対応して復調する。地上デジタル放送の信号は、ＯＦＤＭ（Orthogonal Frequency Division Multiplexing）復調で、衛星デジタル放送の信号は、ＰＳＫ（Phase Shift Keying）復調で、ＭＰＥＧ２（Moving Picture Experts Group phase 2）−ＴＳ（Transport Stream）に復調され、デコード処理モジュール１４に出力される。また、復調器１３は、ネットワーク送受信モジュール３１を介してインターネット等のネットワーク３２から受信したＩＰ放送を復調する。
【００１６】
デコード処理モジュール１４は、ＭＰＥＧデコーダ、映像音声デコーダ等の機能を有する。デコード処理モジュール１４は、復調器１３から送信されたＭＰＥＧ２−ＴＳデータをセクション化して、番組情報のデータをデコードする。映像ＰＥＳ（Packetized Elementary Stream）に対しては映像ＥＳ（Elementary Stream)化、音声ＰＥＳに対しては音声ＥＳ化を行って映像データ及び音声データをデコードする。
【００１７】
また、デコード処理モジュール１４は、内蔵記録装置２８から入力された映像データ及び音声データをデコードする。更に、デコード処理モジュール１４は、外付け記録装置３０から入力された映像データ及び音声データをデコードする機能を有する。
【００１８】
重畳処理モジュール１５は、デコード処理モジュール１４からの映像データと、バス２０を介して転送されるデータ放送やＧＵＩ（Graphical User Interface）情報によるウィンドー描画をプレーン管理して、映像データとの重ね合わせを行い、映像処理モジュール１６に送る。
【００１９】
映像処理モジュール１６は、表示装置１７で表示可能なフォーマット（画素数、フレーム周波数、走査方式）に変換したり、表示色を任意に調整したりして、表示装置１７に出力して映像を画面７に表示させる。
【００２０】
音声処理モジュール１８は、デコード処理モジュール１４から伝送されたデジタルの音声データを、スピーカ１９あるいはイヤホン（図示しない）で再生可能なアナログ音声信号に変換した後、スピーカ１９あるいはイヤホンに出力して音声を再生させる。なお、表示装置１７やスピーカ１９は記録再生装置１の外部にあってもよい。また、記録再生装置１と別の筐体に納められていてもよい。
【００２１】
記録再生装置１は、上記した受信動作を含むその全ての動作を制御モジュール２１によって統括的に制御されている。制御モジュール２１はＭＰＵ（Micro Processing Unit）２２が搭載されており、バス２０を介して接続された各構成要素を制御する。
【００２２】
ＲＡＭ（Random Access Memory）２３は、制御モジュール２１のデータ処理に必要な各種データを格納するリードライト用のメモリであり、映像データ、画像フレームの情報等を格納するバッファメモリとして動作する。ＲＯＭ（Read Only Memory）２４は読出し専用のメモリであり、ＭＰＵ２２が実行する制御のプログラムなどを格納している。
【００２３】
フラッシュメモリ２５は、書き換え可能であり、電源を切ってもデータが消えない不揮発性のメモリである。フラッシュメモリ２５は、利用者によって設定された記録再生装置１の機能及び動作に関する各種設定値を記憶する機能を有する。
【００２４】
操作受信モジュール２６は、操作機器２７から送信される操作信号を受信し、制御モジュール２１に転送する。操作機器２７は、例えば、赤外線あるいはBluetooth（登録商標）等による無線通信を利用したリモコン（リモートコントローラ、remote controller）８、有線式あるいは無線式キーボード等であり、操作信号を送出する。操作受信モジュール２６は、これらリモコン８やキーボード等から操作信号を受信する。
【００２５】
内蔵記録装置２８は、ＨＤＤ（Hard Disk Drive）、ＳＳＤ（Solid State Drive）あるいはＯＤＤ（Optical Disc Drive）等を１個または複数含む記録（録画）手段である。内蔵記録装置２８には、情報を記録装置内の記録媒体に記録するエンコーダと再生するデコーダが搭載されており、該エンコーダとデコーダを介してＭＰＥＧ２−ＴＳデータが内蔵記録装置２８の記録再生形態に適したフォーマットに変調されＨＤＤ、ＳＳＤあるいはＯＤＤに記録され、また復調されて再生データとして出力される。この再生データは、デコード処理モジュール１４でデコードされる。
【００２６】
外部インターフェース２９は、ＵＳＢ（Universal Serial Bus）、ＩＥＥＥ１３９４（Institute of Electrical and Electronic Engineers 1394）、ｅＳＡＴＡ(external Serial ATA(AT Attachment)）、ＳＤ（Secure Digital）（登録商標）メモリカード、メモリースティック（登録商標）、あるいはＨＤＭＩ（High Definition Multimedia Interface）（登録商標）等のインターフェースであり、ＵＳＢメモリやＵＳＢ外部機器、ＳＤメモリカード、メモリースティック、ＨＤＤ、ＳＳＤ、ＣＤ、ＤＶＤ、Blu-ray（登録商標）記録再生機等のドライブ類を含む外付け記録装置３０が接続される。外付け端子２９ａは外付け記録装置３０が接続される端子である。外付け端子２９ａは１個または複数設けられ、外付け記録装置３０が１個または複数接続される。
【００２７】
記録再生装置１は、外部インターフェース２９を介して外付け記録装置３０に放送番組を記録（録画）することができる。内蔵記録装置２８または外付け記録装置３０のどちらに記録するかを利用者が選択できる。また、記録再生装置１は、外付け記録装置３０に記録された映像または音声情報を再生することができる。
【００２８】
記録再生装置１は、ネットワーク送受信モジュール３１を介してインターネット等のネットワーク３２に接続されている。これにより、記録再生装置１は、ネットワーク３２上にあるサーバ３３等の機器とネットワーク送受信モジュール３１を介して情報伝送を行なうことができる。例えば、ＤＬＮＡ（Digital Living Network Alliance）ガイドラインに対応したサーバから映像コンテンツを受信することが可能である。ネットワーク端子３１ａはネットワーク３５が接続される端子である。ネットワーク送受信モジュール３１とネットワーク３２の接続は有線だけでなく、例えば、ＩＥＥＥ８０２．１１シリーズの通信方式を用いた無線ＬＡＮ等の無線接続であってもよい。
【００２９】
図２において、制御モジュール２１は、記録制御モジュール３４の機能を有する。この機能は、制御モジュール２１のＭＰＵ２２が実行するアプリケーションであり、通常はＲＯＭ２４に格納されており、使用時にはＭＰＵ２２によって読み出され実行される。記録制御モジュール３４については後述する。
【００３０】
図３は、第１の実施形態に係わるリモコン８の外観図である。リモコン８は赤外線あるいはBluetooth（登録商標）等による無線通信を利用して、記録再生装置１の操作受信モジュール２６へ操作信号を送る。電源ボタン４０は、記録再生装置１の電源をオンまたはオフする。詳細には記録再生装置１を待機状態から動作状態、または動作状態から待機状態にするボタンである。放送波選択ボタン４１は、放送の種類を選択する操作ボタンである。
【００３１】
選局ボタン４２は、放送のチャンネル番号を直接選択する１から１２までの番号が振られたボタンである。チャンネル送りボタン４３は、チャンネル番号を順送りまたは逆送りで選局するボタンであり、選局ボタン４２と同様にチャンネルを選局するときに用いられる。音量調整ボタン４４は、番組を視聴するときのスピーカの音量を調整するボタンである。
【００３２】
カーソルボタン４５は画面７に表示されたＧＵＩ（Graphical User Interface）画面の各種の情報ウィンドー内のカーソルの移動や各種項目の選択ボタンの移動を行うためのボタンである。カーソルボタン４５は、十字ボタンまたは方向指示ボタンとも呼ばれる。左方向カーソルボタン４５ａはカーソルを左方向に移動させるときに用いるボタンである。右方向カーソルボタン４５ｂ、上方向カーソルボタン４５ｃ、下方向カーソルボタン４５ｄはそれぞれカーソルを右方向、上方向、下方向に移動させるときに用いる。決定ボタン４６は、カーソルボタン４５ａ〜４５ｄで移動した先の位置または画面上のボタンを実行するときに用いられる。
【００３３】
番組表ボタン４７は、番組表を画面７に表示するときに操作する専用の操作ボタンである。メニューボタン４８は、記録再生装置１に用意された各種の設定メニューを表示するときに押下するボタンである。利用者は、階層表示された複数の項目の中から目的の設定項目を、カーソルボタン４５を用いて選択する。戻るボタン４９は一つ前の操作段階の画面へ戻るときに使うボタンである。終了ボタン５０は、一連の操作を終了するときに操作するボタンである。
【００３４】
補助カーソルボタン５１は、画面７に表示された番組表のページや各種リストの切り換え、複数表示されたタブの切り換えなど、主に画面７に表示されたＧＵＩ画面を切り換えるときに使用される操作ボタンである。補助カーソルボタン５１ａは左方向、５１ｂは右方向、５１ｃは下方向あるいは次の画面、５１ｄは上方向あるいは前の画面を選択したり移動したりするときに操作する。
【００３５】
４色の色ボタン５２は、左から青ボタン５２ａ、赤ボタン５２ｂ、緑ボタン５２ｃ、黄ボタン５２ｄの順に配置されている。画面７上に色により区別された項目や色による選択の表示があるときに使用する。記録装置操作ボタン５３は、内蔵記録装置２８や外部インターフェース２９を介して接続された外付け記録装置３０に記録された番組を再生する際に、再生、停止、一時停止、早送り再生、早戻し再生、次番組スキップ、先頭戻り・前番組スキップするためのボタンである。
【００３６】
タイムシフトボタン５４は、画面７に過去番組表を表示するときに使用する操作ボタンである。過去番組表は、利用者がタイムシフト記録された番組を視聴する際に表示する番組の一覧表である。録画リストボタン５５は、画面７に録画リストを表示するときに使用する操作ボタンである。録画リストは、利用者が番組を指定して録画した番組を視聴する際に表示する録画番組の一覧表である。録画リストの他に、プレビューウィンドーに選択した録画番組のプレビュー画像が表示される。
【００３７】
図４は、第１の実施形態に係わる記録制御モジュール３４の構成を示したブロック図である。記録制御モジュール３４は、ＰＶＲ記録モジュール６０と、タイムシフト記録モジュール６１の機能を有する。記録制御モジュール３４は、各記録装置の記録領域の設定を行う。
【００３８】
本実施形態における記録再生装置１は、放送番組の記録（録画）において２種類の記録様式を有している。第１の記録様式は、利用者の要求に応じて番組を指定して記録する通常の記録であり、利用者が随意に個別の番組や連続番組を選択して都度記録したり予約して記録したりする。以後この記録様式をＰＶＲ（Personal Video Recording）記録と称する。ＰＶＲ記録は、例えば、視聴中の番組の記録、番組表から選択した番組の記録および予約記録、番組情報による番組検索機能を利用した予約記録、日時を指定した予約記録等がある。
【００３９】
第２の記録様式は、ループ記録方式を用いたタイムシフト記録である。タイムシフト記録とは、指定された１個または複数のチャンネルに就いて、指定された１個または複数の時間帯に亘って放送番組をループ記録し、過去数十時間の放送番組を一時保管するものである。利用者は一時保管された時間をさかのぼって番組を視聴することができる。一時保管できる時間は指定したチャンネル数によって変動する。
【００４０】
タイムシフト記録にはループ記録方式が用いられる。ループ記録とは、所定の記録容量を有する記録領域に放送番組を記録し、記録する放送番組の記録データの容量が所定の記録容量を超えると記録時期の古い記録データから順次上書きする記録方式である。ループ記録によるタイムシフト記録は、内蔵記録装置２８、外付け記録装置３０について所定の記録容量を有する記録領域を確保し、その記録領域内でＰＶＲ記録とは別に独立して上書き記録を繰り返す記録方式である。
【００４１】
ループ記録の記録領域は、内蔵記録装置２８、外付け記録装置３０の内部でＰＶＲ記録用の記録領域と別に部分的に設けられる場合や、内蔵記録装置２８、外付け記録装置３０の記録領域全体をループ記録の記録領域とする場合がある。ループ記録の記録領域に記録が開始され、記録領域の終点まで記録が進むと、記録領域の録画経過時間の始点に戻って続きの記録を続行する。よって、ループ記録で記録した記録データは、記録時期が古い番組から順に上書き記録によって消去される。
【００４２】
タイムシフト記録によって一時保管できる時間は、番組を記録するときのチャンネル数、記録データの圧縮率と記録領域の記録容量によって変動する。記録データの圧縮率が同じ場合には、チャンネル数が少なく、記録容量が大きければ、上書き記録によって消去されるまでの時間が長くなり、一時保管できる時間が長くなる。逆にチャンネル数が多く、記録容量が小さければ、上書き記録によって消去されるまでの時間が短くなり、一時保管できる時間が短くなる。
【００４３】
ＰＶＲ記録モジュール６０は、ＰＶＲ記録を制御する機能を有しており、利用者の操作に基づいて設定された放送番組の記録及び記録予約情報を管理し、視聴中の番組の記録処理、記録予約された番組の記録処理を行う。また、内蔵記録装置２８、外付け記録装置３０の記録可能時間の算出を行う。
【００４４】
タイムシフト記録モジュール６１は、タイムシフト記録を制御する機能を有しており、タイムシフト記録のチャンネル設定、記録時間帯の設定、記録装置の記録容量の管理、ループ記録方式の記録制御等を行う。タイムシフト記録モジュール６１は、内蔵や外付けの複数の記録装置毎にループ記録する１個または複数のチャンネルや１個または複数の記録時間帯を設定する。
【００４５】
次に、タイムシフト記録モジュール６１によるタイムシフト記録におけるチャンネルの設定について説明する。チャンネルは記録装置毎に個別に設定できる。タイムシフト記録では、１個以上の放送チャンネルを指定する必要がある。
【００４６】
記録再生装置１のチューナ１２のユニット数や復調器の回路規模等の制限から設定できるチャンネル数が制限される。また、内蔵記録装置２８については回路規模、コスト、スペース等により搭載台数に制限を受けたり、外付け記録装置３０については外部インターフェースの仕様や回路規模によって接続台数に制限を受けたりして、設定できるチャンネル数が制限される。上限は、例えば数チャンネルから十数チャンネルである。但し、回路規模、コスト、スペース等について余裕があれば、チャンネルを数多く設定できることは言うまでもない。
【００４７】
図５は、複数の内蔵記録装置２８と複数の外付け記録装置３０の記録領域とチャンネルの設定の例を示した図である。複数の内蔵記録装置２８を、例えば、内蔵Ｉ１、内蔵Ｉ２、内蔵Ｉ３、内蔵Ｉ４、内蔵Ｉｎとする。内蔵Ｉ１から内蔵Ｉｎの記録装置は、例えばＨＤＤである。複数の外付け記録装置３０を、例えば、外付けＥ１、外付けＥ２、外付けＥ３、外付けＥ４、外付けＥｎとする。外付けＥ１から外付けＥｎの記録装置は、例えば、外部インターフェースとしてＵＳＢを用いたＨＤＤである。
【００４８】
内蔵Ｉ１から内蔵Ｉｎ、外付けＥ１から外付けＥｎの記録容量は、それぞれ数百ＧＢ（Gigabyte）から数テラＢ（Terabyte）であり、図５の例では、内蔵Ｉ１から内蔵Ｉｎは１ＴＢ、外付けＥ１、外付けＥ２は１．５ＴＢ、外付けＥ３から外付けＥｎは２ＴＢである。
【００４９】
図５において、内蔵Ｉ１から内蔵Ｉｎ、外付けＥ１から外付けＥｎの上段は記録装置内の記録領域を示し、下段はＰＶＲ記録またはタイムシフト記録における設定チャンネルを示す。内蔵Ｉ１から内蔵Ｉｎ、外付けＥ１から外付けＥｎは、記録装置内の記録領域をそれぞれ1個または複数に分割することも可能であるが、図５の例は、記録領域を分割していない場合である。
【００５０】
内蔵Ｉ１から内蔵Ｉｎ、外付けＥ１から外付けＥｎの各記録領域には、それぞれＰＶＲ記録またはタイムシフト記録における設定チャンネルが設定されている。内蔵Ｉ１の記録領域Ｉ１の記録領域には、ＰＶＲ記録が割り当てられている。内蔵Ｉ２の記録領域Ｉ２には、チャンネル１とチャンネル２が設定されている。内蔵Ｉｎの記録領域Ｉｎには、チャンネルｎとチャンネルｎ＋１が設定されている。外付けＥ１の記録領域Ｅ１はＰＶＲ記録が割り当てられている。外付けＥ２の記録領域Ｅ２にはチャンネル８、チャンネル９とチャンネル１０が設定されている。このように記録装置毎にチャンネルを設定することが可能である。これらのチャンネル設定は利用者が設定できる。
【００５１】
図６は、チャンネル設定表６５の例を示した図である。チャンネルを設定する際には、チャンネル設定表６５を画面７に表示させて、内蔵Ｉ１から内蔵Ｉｎ、外付けＥ１から外付けＥｎ毎に設定したいチャンネルのチェックボックス６６に設定マーク６７を表示させて設定する。チャンネル設定表６５には、上段の横方向に記録再生装置に接続し登録された内蔵Ｉ１から内蔵Ｉｎ、外付けＥ１から外付けＥｎが表示され、左側または右側の縦方向にＰＶＲ記録、また受信可能な状態に設定されたチャンネル番号が表示される。
【００５２】
例えば、内蔵Ｉ１にＰＶＲ記録を設定する場合には、カーソルボタン４５ａ、４５ｂで内蔵Ｉ１を選択し、カーソルボタン４５ｃ、４５ｄでＰＶＲ記録を選択すると選択された升目がハイライトされ、決定ボタン４６を押下して設定マーク６７を表示させる。決定ボタン４６を押す度に設定マークが表示されたり消えたり交互に換わる。また内蔵Ｉ２にチャンネル１とチャンネル２を設定する場合には、内蔵Ｉ２のチャンネル１とチャンネル２のチェックボックス６６其々に設定マーク６７を表示させる。全て設定した後は設定完了ボタン６８を選択して決定ボタン４６を押下する。なお、異なる記録装置に同じチャンネルが指定された場合については後述する。
【００５３】
なお、同じ記録装置にＰＶＲ記録とタイムシフト記録を同時に記録しないようにする場合には、ＰＶＲ記録に設定マーク６７を表示させたとき、タイムシフト記録のチャンネルのチェックボックス６６をグレー表示にして設定マーク６７を表示できないようにしてもよい。また逆に、タイムシフト記録のチャンネルに設定マーク６７を表示させた場合には、ＰＶＲ記録のチェックボックス６６をグレー表示にしてもよい。
【００５４】
また、ＰＶＲ記録の設定については、ＰＶＲ記録専用の内蔵記録装置２８を設けたり、ＰＶＲ記録専用の外付け端子２９ａを設け、これに接続した外部記録装置３０にＰＶＲ記録するようにしたりして、利用者によるチャンネル設定を省略あるいは不可とするようにしてもよい。
【００５５】
次に、タイムシフト記録モジュール６１によるタイムシフト記録における時間帯の設定について説明する。記録する時間帯は記録装置毎に個別に設定することができる。タイムシフト記録の時間設定は、曜日毎に時間帯を設定する。
【００５６】
図７は、記録時間設定における記録装置選択表６９の例を示した図である。タイムシフト記録設定の中の記録時間設定を選択すると、最初に記録装置選択表６９が表示される。記録装置選択表６９にて記録時間を設定する記録装置を選択する。カーソルボタン４５ｃ、４５ｄで記録装置を選択すると選択された升目がハイライトされ、決定ボタン４６を押下して設定マーク６７を表示させる。設定が完了したならば、設定完了ボタン７０を押下する。
【００５７】
図７に示したように、ＰＶＲ記録が設定された記録装置は、内蔵Ｅ１や外付けＥ１のチェックボックス６６のように、チェックボックス６６がグレー表示されて選択できないようにしてもよい。なお、内部記録装置２８や外付け記録装置３０の接続台数が制限されて接続台数が少ない場合には、記録装置選択表６９を省略することも考えられる。
【００５８】
図８は、記録時間設定表７１の例を示した図である。タイムシフト記録の記録時間帯を設定する際には、記録時間設定表７１を画面７に表示させて、内蔵Ｉ１から内蔵Ｉｎ、外付けＥ１から外付けＥｎ毎に時間帯を設定する。図７に示した記録装置選択表６９にて記録装置を選択すると、記録時間設定表７１が画面７に表示される。記録装置表示ボックス７２には選択された記録装置が表示される。またチャンネル表示ボックス７３には記録装置に割り当てられているチャンネルが表示される。
【００５９】
時間表７４は、横方向に曜日軸７５、縦方向に午前零時から翌日の午前零時までの２４時間を１時間単位で分割した時間軸７６を表わした格子状の表である。記録時間設定表７１が表示された直後は左上の全選択ボタン７７がフォーカスされている。カーソルボタン４５で所望の記録時間帯の升目（ボタン）に移動するとハイライトされ、決定ボタン４６を押下すると升目の色が変化あるいはハイライトの色が変化して、設定されたことが分かる。
【００６０】
決定ボタン４６を押下するたびに設定と解除が交互に切り換わる。全選択ボタン７７を押下すると全ての時間帯が選択される。曜日や時間帯のボタンを選ぶとその行や列の全ての時間の設定、解除ができる。設定した後は設定完了ボタン７８を選択して決定ボタン４６を押下するか、または黄色ボタン５２ｄを押下することによって設定が完了する。
【００６１】
録画時間帯が一つも設定されていない場合は、完了せず、エラー表示する。設定が完了した後に戻るボタン４９を押下すると図７に示した記録装置選択表６９が表示されるので、他の記録装置の記録時間を設定できる。終了ボタン５０を押下すれば、記録時間の設定を終了する。
【００６２】
図８においては、日曜日は、午後零時から月曜の午前零時まで、月曜日から土曜日までは午後7時から翌日の午前零時までの時間帯が設定されており、この時間帯を週単位で繰り返す。設定された時間帯を網掛けで示す。
【００６３】
異なる記録装置に同じチャンネルが指定された場合について説明する。タイムシフト記録が設定された複数の内蔵記録装置２８と複数の外付け記録装置３０の内で、異なる記録装置に同じチャンネルが設定される場合がある。既に記録装置に設定されているチャンネルと同じチャンネルが、利用者によって他の記録装置に指定された場合には、指定する時間帯によって設定状態が異なる。
【００６４】
同じチャネルが指定された場合は、異なる記録装置で同じ番組を複数記録しないようにすることと、ループ記録の記録容量を同じチャンネルが設定された録装置毎に割り当てられた記録容量の総和とすることを基本的な考え方とする。記録容量の総和とは、異なる記録装置の記録領域をリレーしてループ録画し、ループ記録における記録容量を異なる記録装置が其々有する記録容量を加えた記録容量に拡大するということである。従って同じチャンネルを設定したチャンネルについて一時保管できる時間を長くすることができる。
【００６５】
タイムシフト記録モジュール６１は、複数の記録装置の内で異なる記録装置に同じチャンネで重複する時間帯を含む異なる時間帯が指定された場合、後から指定した記録装置に対して重複する時間帯を除いて時間帯を設定する。
【００６６】
図９は、重複する時間帯を含む異なる時間帯が指定された状態の例を示した図である。時間帯Ｔ１は、例えば、内蔵Ｉ２に設定された記録時間帯である。内蔵Ｉ２に設定されたチャンネルは、例えば、図５に示した記録領域とチャンネルの設定の例を用いると、チャンネル１とチャンネル２が設定されている。時間帯Ｔ１は、日曜日は、午後零時から月曜の午前零時まで、月曜日から土曜日までは午後7時から翌日の午前零時までの時間帯が設定されている。
【００６７】
一方、時間帯Ｔ２は、例えば、外付けＥ４に指定された時間帯である。外付けＥ４に設定されたチャンネルは、例えば、図５に示した記録領域とチャンネルの設定の例を用いると、チャンネル１、チャンネル４とチャンネル８が設定されている。時間帯Ｔ２は、日曜日から土曜日まで午前１１時から午後６時までの時間帯が指定されている。
【００６８】
内蔵Ｉ２と外付けＥ４は、複数の記録装置の内で異なる記録装置であり、同じチャンネル１が設定されている。日曜の午後零時から午後６時まで重複する時間帯が指定されている。このような場合には、例えば、外付けＥ４が内蔵Ｉ２よりも後で時間帯が指定されたならば、つまり、内蔵Ｉ２に対してＴ１の時間帯が既に設定された状態で、後から外付けＥ４に対してＴ２の時間帯を指定したならば、外付けＥ４に対しては重複する時間帯を除いた時間帯が設定される。この場合、同じチャンネルについてのみ重複しない時間帯に設定するようにしてもよいし、また、指定した全てのチャンネルについて重複しない時間帯に設定するようにしてもよい。
【００６９】
図１０は、時間帯Ｔ２’が設定された状態を示した図である。外付けＥ４に対して設定された時間帯Ｔ２’は、日曜日は、午前１１時から午後零時まで、月曜日から土曜日までは午前１１時から午後６時までの時間帯が設定される。日曜の午後零時から午後６時までの重複する時間帯が除かれた設定となる。このようにすることによって、同じチャンネルが設定された場合でも、異なる記録装置に対して同じ番組を複数回記録することがない。
【００７０】
タイムシフト記録モジュール６１は、複数の記録装置の内で異なる記録装置に同じチャンネル且つ同じ時間帯が指定されたとき、ループ記録の記録容量を同じチャンネルが設定された録装置毎に割り当てられた記録容量の総和とする。従って同じチャンネルを設定したチャンネルについて記録容量を拡大でき一時保管できる時間を長くすることができる。
【００７１】
また、タイムシフト記録モジュール６１は、新規に追加された内蔵または外付けの記録装置に既存の記録装置と同じチャンネル且つ同じ時間帯が指定されたとき、ループ記録の記録容量を同じチャンネルが設定された既存の記録装置に割り当てられた記録容量と新規に追加された記録装置に割り当てられた記録容量の総和とする。従って同じチャンネルを設定したチャンネルについて記録容量を拡大でき一時保管できる時間を長くすることができる。
【００７２】
次に外付け記録装置３０を数台使用した具体的な実施例について説明する。図１１は、記録再生装置１に外付け記録装置３０が３台接続された状態を示した図である。記録再生装置１の背面には外付け端子８０が配置されている。外付け端子８０には、端子Ａ８１、端子Ｂ８２、端子Ｃ８３が配置されている。端子Ａ８１、端子Ｂ８２、端子Ｃ８３は、外部インターフェースとしてＵＳＢを用いた外付け記録装置用の端子である。端子Ａ８１には外付けＥ１、端子Ｂ８２には外付けＥ２、端子Ｃ８３には外付けＥ３が接続されている。ＵＳＢ外付け記録装置としてはＨＤＤを内蔵した記録装置が好適である。接続した後で各外付け記録装置を初期化し、登録する。
【００７３】
端子Ａ８１、端子Ｂ８２はタイムシフト記録用のＵＳＢ外付け記録装置を接続する端子であり、端子Ｃ８３はＰＶＲ記録用のＵＳＢ外付け記録装置を接続する端子である。タイムシフト記録専用の端子とＰＶＲ記録専用の端子を別に設けたことにより、利用者が外付け記録装置を簡単に接続できると共にタイムシフト記録のチャンネル設定を容易に行うことができる。
【００７４】
図１２は、画面７に機能設定表８４が表示された状態を示した図である。図１３は、画面７にタイムシフト記録設定表８６が表示された状態を示した図である。利用者がリモコン８のメニューボタン４８を押下して画面７に機能設定表８４を表示させる。タイムシフト記録設定８５を選択して決定ボタン４６を押下すると、画面７にタイムシフト記録設定表８６が表示される。タイムシフト記録８７を選択して決定ボタン４６を押下すると、画面７にタイムシフト記録を実行するかしないかの選択ボタンが表示され（図示せず）、「する」ボタンを選択して決定ボタンを押下すると、図１３に示したように、タイムシフト記録の項目の右側に「する」が表示される。
【００７５】
図１４は、画面７に記録チャンネル設定表９０が表示された状態を示した図である。記録チャンネル設定８８を選択して決定ボタン４６を押下すると、画面７に記録チャンネル設定表９０が表示される。記録するチャンネルは記録装置毎に設定できる。記録チャンネル設定表９０は、端子Ａ８１に接続された記録装置（外付けＥ１）と端子Ｂ８２に接続された記録装置（外付けＥ２）の両方のチャンネルを設定できる。
【００７６】
この記録チャンネル設定表９０においては、端子Ａ８１に接続された記録装置（外付けＥ１）と端子Ｂ８２に接続された記録装置（外付けＥ２）に対して其々３チャンネルまで設定できる。従ってこの実施例では最大６チャンネルまで設定できる。接続端子を追加して（例えば端子Ｄ）接続できる記録装置を追加できるようにすれば、設定できるチャンネル数を増加させることができることは言うまでもない。
【００７７】
記録チャンネル設定表９０は、端子Ａ８１、端子Ｂ８２毎に設定したいチャンネルのチェックボックス６６に設定マーク６７を表示させて設定する。例えば、端子Ａ８１に接続された外付けＥ１に地デジ０１３ＷＷＷのチャンネルを設定するには、カーソルボタン４５ａ、４５ｂで端子Ａを選択し、カーソルボタン４５ｃ、４５ｄで地デジ０１３ＷＷＷを選択すると選択された升目がハイライトされ、決定ボタン４６を押下して設定マーク６７を表示させる。決定ボタン４６を押す度に設定マークが表示されたり消えたり交互に換わる。設定した後は設定完了ボタン９１を選択して決定ボタン４６を押下する。
【００７８】
図１５は、画面７に記録時間設定表９２が表示された状態を示した図である。図１３で示したタイムシフト記録設定表８６において記録時間設定８９を選択して決定ボタン４６を押下すると、画面７に記録時間設定表９２が表示される。記録する時間帯を記録装置毎に設定できる。このように接続台数が比較的少なく、端子毎に接続された各記録装置に対して記録時間設定が可能な場合には、図７において説明した記録装置選択表６９のような記録装置を選択する画面は不要である。
【００７９】
まず、端子Ａに接続された外付けＥ１か端子Ｂに接続された外付けＥ２かを選択する。記録装置選択ボックス９３の右側のドロップダウンボタン９４を選択して決定ボタン４６を押下するとドロップダウンリストが表示されるので、端子Ａを選択して決定ボタン４６を押下する。記録装置選択ボックス９３には、端子Ａが表示される。これで端子Ａに接続された外付けＥ１の記録時間を設定できる。
【００８０】
時間表９５においてカーソルボタン４５で所望の記録時間帯の升目（ボタン）に移動するとハイライトされ、決定ボタン４６を押下すると升目の色が変化あるいはハイライトの色が変化して、設定されたことが分かる。決定ボタン４６を押下するたびに設定と解除が交互に切り換わる。全て設定した後は設定完了ボタン９６を選択して決定ボタン４６を押下するか、または黄色ボタン５２ｄを押下することによって設定が完了する。
【００８１】
なお、記録する時間帯を記録装置毎ではなく、全ての記録装置で同じ時間帯とすることもできる。このような場合には、記録装置選択ボックス９３やドロップダウンボタン９４を表示しないようにし、共通の時間帯として設定できるようにすればよい。
【００８２】
図１６は、画面７に記録時間設定表９７の他の例が表示された状態を示した図である。図１５においては、記録する時間帯を記録装置毎に設定したが、チャンネル毎に設定するようにしてもよい。図１６に示した記録時間設定表９７は、記録する時間帯をチャンネル毎に設定する場合のものである。記録装置の接続台数が比較的少なく、端子毎に接続された各記録装置に対してチャンネルが設定された場合には、図１５で示した記録時間設定表９２と同様なシンプルな記録時間設定表９７を使用することができる。
【００８３】
まず、記録時間帯を設定するチャンネルを選択する。チャンネル選択ボックス９８の右側のドロップダウンボタン９９を選択して決定ボタン４６を押下するとドロップダウンリストが表示される。図１４において示したチャンネルの例を用いると、ドロップダウンリストには、チャンネル１、２、４、５、６、７が表示されるので、例えば、チャンネル１地デジ０１３ＷＷＷを選択して決定ボタン４６を押下する。チャンネル選択ボックス９８には、チャンネル１地デジ０１３ＷＷＷが表示される。これでチャンネル１地デジ０１３ＷＷＷの記録時間を設定できる。
【００８４】
時間表１００においてカーソルボタン４５で所望の記録時間帯の升目（ボタン）に移動するとハイライトされ、決定ボタン４６を押下すると升目の色が変化あるいはハイライトの色が変化して、設定されたことが分かる。決定ボタン４６を押下するたびに設定と解除が交互に切り換わる。全て設定した後は設定完了ボタン１０１を選択して決定ボタン４６を押下するか、または黄色ボタン５２ｄを押下することによって設定が完了する。
【００８５】
図１７は、タイムシフト記録におけるチャンネル設定および時間設定処理の動作手順を示したフローチャートである。利用者がリモコン８のメニューボタン４８を押下してタイムシフト記録設定を選択することにより開始される。
【００８６】
Ｓ１１において、タイムシフト記録モジュール６１は、画面７にタイムシフト記録設定表８６を表示する。Ｓ１２において、タイムシフト記録モジュール６１は、タイムシフト記録を「する」が判定されたかを判定する。「する」が選択されたならば、Ｓ１３へ移る。
「する」が選択されなかった場合は、終了する。
【００８７】
Ｓ１３において、タイムシフト記録モジュール６１は、タイムシフト記録を「する」に設定する。Ｓ１４において、タイムシフト記録モジュール６１は、記録チャンネル設定が選択されたかを判定する。記録チャンネル設定が選択されたならば、Ｓ１５へ移る。
【００８８】
記録チャンネル設定が選択されなかった場合は場合には、図１７（ｂ）に示す処理フローのＳ３１に移る。Ｓ３１において、記録制御モジュール３４はリモコンの戻るボタン４９が選択されたかどうかを判定する。「戻る」が選択されたならば、Ｓ３２移って前の状態に戻る。この場合の前の状態とは、画面に機能設定表８４が表示された状態に復帰することである。「戻る」が選択されなかった場合には、Ｓ３３へ移って「終了」が選択されたかを判定する。「終了」が選択されたならば終了する。終了が選択されなかった場合には、Ｓ３４へ移って、所定時間が経過したかを判定する。所定時間が経過したならば終了する。所定時間は通常３０秒から２分の間で設定されている。所定時間が経過していない場合には、Ｓ１４に戻る。
【００８９】
Ｓ１５において、タイムシフト記録モジュール６１は、記録チャンネル設定表（図６に示した記録チャンネル設定表６５または図１４に示した記録チャンネル設定表９０）を画面７に表示する。Ｓ１６において、タイムシフト記録モジュール６１は、記録チャンネルが利用者によって指定されたかを判定する。記録チャンネルが指定されたならば、Ｓ１７へ移って、記録チャンネルを設定する。記録チャンネルが指定されなかった場合は、エラー表示するかまたは終了する。
【００９０】
Ｓ１８において、タイムシフト記録モジュール６１は、記録時間設定が選択されたかを判定する。記録時間設定が選択されたならば、Ｓ１９へ移る。記録時間設定が選択されなかった場合は、図１７（ｂ）に示す動作フローのＳ３１に移る。図１７（ｂ）の動作については前述したので省略するが、所定時間が経過していない場合には、Ｓ１８に戻る。
【００９１】
Ｓ１９において、タイムシフト記録モジュール６１は、記録装置選択表（図７に示した記録装置選択表６９）を画面７に表示する。接続台数が比較的少なく、端子毎に接続された各記録装置に対して記録時間設定が可能な場合には、記録装置選択表を表示せず、Ｓ２１に移って記録時間設定表を表示する場合もある。
【００９２】
Ｓ２０において、タイムシフト記録モジュール６１は、記録装置が選択されたかを判定する。記録装置が選択されたならば、Ｓ２１へ移る。記録装置が選択されなかった場合には、図１７（ｂ）に示す動作フローのＳ３１に移る。図１７（ｂ）の動作については前述したので省略するが、所定時間が経過していない場合には、Ｓ２０に戻る。
【００９３】
Ｓ２１において、タイムシフト記録モジュール６１は、記録時間設定表（図８に示した記録時間設定表７１または図１５に示した記録時間設定表９２）を画面７に表示する。Ｓ２２において、タイムシフト記録モジュール６１は、記録時間が利用者によって指定されたかを判定する。記録時間が指定されたならば、Ｓ２３へ移って記録時間を設定して終了する。記録時間が指定されなかった場合は、エラー表示するかまたは終了する。
【００９４】
以上のように、タイムシフト記録モジュール６１が、複数の記録装置を用いてループ記録する際、記録装置毎に個別にチャンネルを設定し、また記録装置毎に個別に記録時間を設定するようにすることによって、利用者が平易な操作で記録するチャンネル毎に記録時間帯の設定を行うことができる。
【００９５】
（第２の実施形態）
図１８は、第２の実施形態に係る複数の内蔵記録装置２８と複数の外付け記録装置３０の記録領域とチャンネルの設定の例を示した図である。この第２の実施形態の各部については、図１から図４に示す第１の実施形態の各部と同一である。この第２の実施形態が第１の実施形態と異なる点は、第１の実施形態では、内蔵Ｉ１から内蔵Ｉｎ、外付けＥ１から外付けＥｎのタイムシフト記録の記録領域を分割していなかったが、第２の実施形態では、内蔵Ｉ１から内蔵Ｉｎ、外付けＥ１から外付けＥｎのタイムシフト記録の記録領域を分割した点である。
【００９６】
図１８は、複数の内蔵記録装置２８と複数の外付け記録装置３０の記録領域とチャンネルの設定の例を示した図である。図１８に示した例は、記録装置内の記録領域を分割した場合である。例えば、内蔵Ｉ１の記録領域は記録領域Ｉ１−Ａの１個であり、内蔵Ｉ２は、記録領域Ｉ２−Ａ、記録領域Ｉ２−Ｂの２個に分割されている。記録領域Ｉ２−Ａと記録領域Ｉ２−Ｂの容量の比率は略２対１である。内蔵Ｉ３は、記録領域Ｉ３−Ａ、記録領域Ｉ３−Ｂ、記録領域Ｉ３−Ｃの３個に分割されており、記録領域Ｉ３−Ａ、記録領域Ｉ３−Ｂ、記録領域Ｉ３−Ｃの容量の比率は略１対１対１である。これらの分割数とそれぞれの記録容量の大きさは利用者が設定できる。
【００９７】
外付けＥ１から外付けＥｎについては、記録再生装置１に接続して登録する際に分割数と其々の記録容量の大きさを利用者が設定できる。例えば、外部インターフェースとしてＵＳＢを用いた外付け記録装置３０を接続し登録する場合には、新規の外付け記録装置３０を外部端子２９ａに接続すると、制御モジュール２１が外部インターフェース２９を介して検出し、画面７に登録の画面が表示（図示せず）される。利用者が登録を選択し、新規の外付け記録装置３０を初期化し、登録名を指定した後に、記録領域の分割有無を選択し、記録領域の大きさを指定して改めてこの領域をフォーマットすることによって、記録領域の分割と其々の記録容量の大きさが設定できる。
【００９８】
内蔵Ｉ１から内蔵Ｉｎ、外付けＥ１から外付けＥｎの各記録領域には、それぞれＰＶＲ記録またはタイムシフト記録における設定チャンネルが設定されている。内蔵Ｉ１の記録領域Ｉ１−Ａの記録領域には、ＰＶＲ記録が割り当てられている。内蔵Ｉ２の記録領域Ｉ２−Ａには、チャンネル１が設定され、記録領域Ｉ２−Ｂには、チャンネル２が設定されている。内蔵Ｉｎの記録領域Ｉｎ−Ａには、チャンネルｎが設定され、記録領域Ｉｎ−Ｂには、チャンネルｎ＋１が設定されている。外付けＥ１の記録領域Ｅ１−ＡにはＰＶＲ記録が割り当てられている。外付けＥ２の記録領域Ｅ２−Ａにはチャンネル８が設定され、記録領域Ｅ２−Ｂにはチャンネル９が設定され、記録領域Ｅ２−Ｃにはチャンネル１０が設定されている。このように記録装置毎にチャンネルを設定することが可能である。チャンネルの設定数は記録領域の分割数以下に設定する。分割された１個の記録領域には１個のチャンネルだけ設定できるようにしてもよい。これらのチャンネル設定は利用者が設定できる。
【００９９】
チャンネルを設定する際には、図６に示したチャンネル設定表６５を画面７に表示させて、内蔵Ｉ１から内蔵Ｉｎ、外付けＥ１から外付けＥｎ毎に設定したいチャンネルのチェックボックス６６に設定マーク６７を表示させて設定する。
【０１００】
記録装置内の記録領域を分割した場合には、例えば、内蔵Ｉ２にチャンネル１とチャンネル２を設定した場合には、内蔵Ｉ２に設定された記録領域に対して、チャンネル番号の小さい方から順に割り当てられる。従って、図６に示したように、内蔵Ｉ２の記録領域Ｉ２−Ａにチャンネル１、記録領域Ｉ２−Ｂにチャンネル２が其々割り当てられる。
【０１０１】
タイムシフト記録モジュール６１によるタイムシフト記録における時間帯の設定については、記録する時間帯は記録装置毎、記録領域毎に設定することができる。タイムシフト記録の時間設定は、曜日毎に時間帯を設定する。
【０１０２】
図１９は、第２の実施形態に係る記録時間設定における記録装置選択表１０２を示した図である。タイムシフト記録設定の中の記録時間設定を選択すると、最初に記録装置選択表１０２が表示される。記録装置選択表１０２にて記録時間を設定する記録装置と記録領域を選択する。カーソルボタン４５ｃ、４５ｄで記録領域を選択すると選択された升目がハイライトされ、決定ボタン４６を押下して設定マーク６７を表示させる。例えば、内蔵Ｉ２−Ａの時間帯を設定する場合には、カーソルボタン４５で内蔵Ｉ２−Ａを選択すると選択された升目がハイライトされ、決定ボタン４６を押下して設定マーク６７を表示させる。設定が完了したならば、設定完了ボタン１０３を押下する。
【０１０３】
図１９に示したように、ＰＶＲ記録が設定された記録装置は、内蔵Ｅ１や外付けＥ１のチェックボックス６６のように、チェックボックス６６がグレー表示されて選択できないようにしてもよい。なお、内蔵記録装置２８や外付け記録装置３０の接続台数が制限されて接続台数が少ない場合には、記録装置選択表１００を省略することも考えられる。記録時間の設定方法については、記録装置ではなく記録領域毎に設定する。その他の設定の操作については、第１の実施形態と同様であるので省略する。
【０１０４】
異なる記録装置の記録領域に同じチャンネルが指定された場合については、異なる記録装置の記録領域で同じ番組を複数記録しないようにすることと、ループ記録の記録容量を同じチャンネルが設定された記録領域毎に割り当てられた記録容量の総和とすることを基本的な考え方とする。記録容量の総和とは、異なる記録装置の記録領域をリレーしてループ録画し、ループ記録における記録容量を異なる記録装置の記録領域が其々有する記録容量を加えた記録容量に拡大するということである。従って同じチャンネルを設定したチャンネルについて一時保管できる時間を長くすることができる。
【０１０５】
なお、本発明は上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。更に異なる実施形態に亘る構成要素を適宜組み合わせてもよい。
【符号の説明】
【０１０６】
１  記録再生装置
７  画面
８  リモコン
１４  デコード処理モジュール
１５  重畳処理モジュール
１６  映像処理モジュール
１７  表示装置
２１  制御モジュール
２２  ＭＰＵ
２３  ＲＡＭ
２４  ＲＯＭ
２５  フラッシュメモリ
２６  操作受信モジュール
２７  操作機器
２８  内蔵記録装置
２９  外部インターフェース
２９ａ  外付け端子
３０  外付け記録装置
３４  記録制御モジュール
４５ａ、４５ｂ、４５ｃ、４５ｄ  カーソルボタン
４６  決定ボタン
４８  メニューボタン
４９  戻るボタン
５０  終了ボタン
５２ａ、５２ｂ、５２ｃ、５２ｄ  色ボタン
５４  録画リストボタン
６０  ＰＶＲ記録モジュール
６１  タイムシフト記録モジュール
６５  チャンネル設定表
６６  チェックボックス
６７  設定マーク
６８  設定完了ボタン
６９  記録装置選択表
７０  設定完了ボタン
７１  記録時間設定表
７２  記録装置表示ボックス
７８  設定完了ボタン
８０  外付け端子
８１  端子Ａ
８２  端子Ｂ
８３  端子Ｃ
８４  機能設定表
８６  タイムシフト記録設定表
９０  記録チャンネル設定表
９２  記録時間設定表
９３  記録装置選択ボックス
９７  記録時間設定表
９８  チャンネル選択ボックス
１０２  記録装置選択表
【図１】
0005976464.tif 000002
【図２】
0005976464.tif 000003
【図３】
0005976464.tif 000004
【図４】
0005976464.tif 000005
【図５】
0005976464.tif 000006
【図６】
0005976464.tif 000007
【図７】
0005976464.tif 000008
【図８】
0005976464.tif 000009
【図９】
0005976464.tif 000010
【図１０】
0005976464.tif 000011
【図１１】
0005976464.tif 000012
【図１２】
0005976464.tif 000013
【図１３】
0005976464.tif 000014
【図１４】
0005976464.tif 000015
【図１５】
0005976464.tif 000016
【図１６】
0005976464.tif 000017
【図１７】
0005976464.tif 000018
【図１８】
0005976464.tif 000019
【図１９】
0005976464.tif 000020